(57)【要約】【課題】トッププレートに設けた吸気口を覆うカバー体を容易に所定の位置に、所定の姿勢で取り付けることが可能で、製造コストを抑制することが可能なガス調理器を提供する。【解決手段】（ａ）トッププレート１２に第１姿勢で止着された状態で、カバー体４０を支持する支持体５０を備え、支持体は、カバー体と係合する支持体側係合部５１を備え、支持体側係合部は、溝部５２と、溝部に形成された凸部５４とを備えており、（ｂ）カバー体は、支持体と係合するカバー体側係合部４１を備えるとともに、カバー体側係合部は、支持体側係合部の溝部に嵌入する凸条部４２と凸条部の途中領域４２ａに形成された凹部４３とを備え、（ｃ）カバー体側係合部の凸条部が、支持体側係合部の溝部に嵌入し、かつ、支持体側係合部の凸部が、カバー体側係合部の凹部に嵌入することで、支持体がトッププレート上の所定の位置に所定の姿勢で支持されるようにする。【選択図】図３
2019090553.tif 000002
【特許請求の範囲】
【請求項１】
上面を覆うトッププレートを備えた調理器本体と、
前記トッププレートの上方に炎孔が位置するように配設されたバーナヘッドと、前記調理器本体の内部に位置し、燃料ガスと前記燃料ガスを燃焼させるための一次空気とを混合する混合管とを備えたブンゼン式のバーナとを具備し、
通常使用者が位置する側を前方側、その逆側を後方側とした場合に、前記トッププレートにおける後方側の領域に、前記混合管に前記一次空気を供給するための吸気口が形成されているとともに、
空気の通流を妨げない態様で前記吸気口の要部を覆うように、前記トッププレート上にカバー体が配設されたガス調理器であって、
（ａ）前記トッププレートに所定の第１姿勢で止着された状態で、前記カバー体を支持する支持体を備えるとともに、前記支持体は、前記カバー体と係合する支持体側係合部を備え、前記支持体側係合部は、溝部と、前記溝部の長さ方向の途中領域に、前記溝部の底部が盛り上がる態様で形成された凸部とを備えており、
（ｂ）前記カバー体は、前記支持体と係合するカバー体側係合部を備えるとともに、前記カバー体側係合部は、前記支持体側係合部の前記溝部に嵌入する凸条部と前記凸条部の長さ方向の途中領域に形成された凹部とを備えており、
（ｃ）前記カバー体側係合部の前記凸条部が、前記支持体側係合部の前記溝部に嵌入し、かつ、前記支持体側係合部の前記凸部が、前記カバー体側係合部の前記凹部に嵌入することにより、前記支持体が前記トッププレート上の所定の位置に所定の姿勢で支持されるように構成されていること
を特徴とするガス調理器。
【請求項２】
前記トッププレートは、前記支持体が固定される支持体固定用開口を備え、
前記支持体は、前記支持体固定用開口に対して挿抜可能に構成された挿入・係合部を備えるとともに、
前記支持体が前記トッププレートに止着された前記第１姿勢では、前記支持体固定用開口に対する前記挿入・係合部の挿抜を牽制し、前記支持体を前記第１姿勢から平面視にて所定角度回動させた第２姿勢では、前記支持体固定用開口に対する前記挿入・係合部の挿抜を許容する鍔部を備えており、
前記支持体を前記第２姿勢から前記所定角度逆方向に回動させて前記第１姿勢とすることにより、前記支持体が前記トッププレートに止着され、
前記支持体を前記第１姿勢から前記所定角度回動させて前記第２姿勢とすることにより、前記支持体が前記トッププレートから取り外されるように構成されていること
を特徴とする請求項１記載のガス調理器。
【発明の詳細な説明】
【技術分野】
【０００１】
本発明は、ガスバーナを備えたガス調理器に関し、詳しくは、ガス調理器の上面を構成するトッププレートに、ガスバーナの燃焼用の空気を供給するための吸気口と、空気の通流を妨げない態様で吸気口を覆うカバー体を備えたガス調理器に関する。
【背景技術】
【０００２】
ガス調理器には、炎孔が設けられたバーナヘッドと、燃料ガスとその燃焼用の一次空気とを混合する混合管とを備えたガスバーナが広く用いられている。そして、そのようなガス調理器には、トッププレート上にバーナヘッドの炎孔が位置し、調理器本体内に燃料ガスと一次空気とを混合する混合管が位置するように構成されたものが多い。
【０００３】
ところで、特許文献１には、トッププレート（天板）の後部に、調理器本体内部への通気口（吸気用開口）を設けるとともに、該通気口（吸気用開口）の前縁側から通気口の上方直近を流れる気流を遮断するフード（カバー体）を設けたガス調理器（ガスコンロ）が記載されている。
【０００４】
そして、フード（カバー体）の後端縁に垂下形成された連結部を、調理器本体の後部から通気口内に起立する被連結部に連結することにより、フードの位置決めを行うとともに、フードを調理器本体に固定するようにしている。
【０００５】
特許文献１の構成によれば、フードが調理器本体の所定位置に確実に固定された、信頼性の高いガス調理器が得られる。
【先行技術文献】
【特許文献】
【０００６】
【特許文献１】特許第４０２５２１１号公報
【発明の概要】
【発明が解決しようとする課題】
【０００７】
しかしながら、上述のように構成された特許文献１に記載のガス調理器を製造する場合、フード（カバー体）の後端縁に垂下形成された連結部を、調理器本体の後部から通気口の内側に起立する被連結部に連結することが必要になり、ねじ止めなどの工程が必要となるばかりでなく、調理器本体内に位置する被連結部へのねじ止めなどの作業自体も容易ではないことから、生産性を向上させることが困難で、製造コストの上昇を招くという問題点がある。
【０００８】
本発明は、上記課題を解決するものであり、トッププレートにおける後方領域に一次空気を通流させる吸気口を備えるとともに、吸気口の要部を覆うカバー体を備えたガス調理器であって、複雑な製造工程を必要とすることなく、容易にカバー体を所定の位置に、所定の姿勢で取り付けることが可能で、製造コストを抑制することが可能なガス調理器を提供することを目的とする。
【課題を解決するための手段】
【０００９】
上記の目的を達成するために、本発明のガス調理器は、
上面を覆うトッププレートを備えた調理器本体と、
前記トッププレートの上方に炎孔が位置するように配設されたバーナヘッドと、前記調理器本体の内部に位置し、燃料ガスと前記燃料ガスを燃焼させるための一次空気とを混合する混合管とを備えたブンゼン式のバーナとを具備し、
通常使用者が位置する側を前方側、その逆側を後方側とした場合に、前記トッププレートにおける後方側の領域に、前記混合管に前記一次空気を供給するための吸気口が形成されているとともに、
空気の通流を妨げない態様で前記吸気口の要部を覆うように、前記トッププレート上にカバー体が配設されたガス調理器であって、
（ａ）前記トッププレートに所定の第１姿勢で止着された状態で、前記カバー体を支持する支持体を備えるとともに、前記支持体は、前記カバー体と係合する支持体側係合部を備え、前記支持体側係合部は、溝部と、前記溝部の長さ方向の途中領域に、前記溝部の底部が盛り上がる態様で形成された凸部とを備えており、
（ｂ）前記カバー体は、前記支持体と係合するカバー体側係合部を備えるとともに、前記カバー体側係合部は、前記支持体側係合部の前記溝部に嵌入する凸条部と前記凸条部の長さ方向の途中領域に形成された凹部とを備えており、
（ｃ）前記カバー体側係合部の前記凸条部が、前記支持体側係合部の前記溝部に嵌入し、かつ、前記支持体側係合部の前記凸部が、前記カバー体側係合部の前記凹部に嵌入することにより、前記支持体が前記トッププレート上の所定の位置に所定の姿勢で支持されるように構成されていること
を特徴としている。
【００１０】
本発明のガス調理器において、
前記トッププレートは、前記支持体が固定される支持体固定用開口を備え、
前記支持体は、前記支持体固定用開口に対して挿抜可能に構成された挿入・係合部を備えるとともに、
前記支持体が前記トッププレートに止着された前記第１姿勢では、前記支持体固定用開口に対する前記挿入・係合部の挿抜を牽制し、前記支持体を前記第１姿勢から平面視にて所定角度回動させた第２姿勢では、前記支持体固定用開口に対する前記挿入・係合部の挿抜を許容する鍔部を備えており、
前記支持体を前記第２姿勢から前記所定角度逆方向に回動させて前記第１姿勢とすることにより、前記支持体が前記トッププレートに止着され、
前記支持体を前記第１姿勢から前記所定角度回動させて前記第２姿勢とすることにより、前記支持体が前記トッププレートから取り外されるように構成されていること
が好ましい。
【発明の効果】
【００１１】
本発明のガス調理器は、上述のように構成されており、（ａ）トッププレートに所定の第１姿勢で止着された状態で、カバー体を支持する支持体を備えるとともに、支持体は、カバー体と係合する支持体側係合部を備え、支持体側係合部は、溝部と、溝部の長さ方向の途中領域に、溝部の底部が盛り上がる態様で形成された凸部とを備えており、（ｂ）カバー体は、支持体と係合するカバー体側係合部を備えるとともに、カバー体側係合部は、支持体側係合部の溝部に嵌入する凸条部と凸条部の長さ方向の途中領域に形成された凹部とを備えており、（ｃ）カバー体側係合部の凸条部が、支持体側係合部の溝部に嵌入し、かつ、支持体側係合部の凸部が、カバー体側係合部の凹部に嵌入することにより、支持体がトッププレート上の所定の位置に所定の姿勢で支持されるように構成されているので、複雑な構成を必要とせずに、カバー体を所定の位置に所定の姿勢で支持することができるとともに、製造コストを抑制することが可能なガス調理器を提供することができる。
【００１２】
すなわち、本発明のガス調理器によれば、カバー体側係合部の凸条部が支持体側係合部の溝部に嵌入することにより、支持体側係合部の溝部の両側の土手、すなわち溝部の幅方向の両側に位置する土手によって、カバー体の、上記溝部の長さ方向に直交する方向（溝部の幅方向）への位置ずれが阻止されるとともに、支持体側係合部の凸部がカバー体側係合部の上記凸条部に形成された凹部に嵌入することにより、カバー体の、上記溝部の長さ方向への位置ずれが阻止される。したがって、上述の簡単な構成で、カバー体が、溝部の長さ方向および該長さ方向に直交する方向（溝部の幅方向）について確実に位置決めされるため、複雑な構造を必要とすることなく、カバー体を所定の位置に、所定の姿勢で支持することが可能で、製造コストを抑制することが可能なガス調理器を提供することができる。
【００１３】
また、本発明のガス調理器において、トッププレートは、支持体が固定される支持体固定用開口を備え、支持体が、支持体固定用開口に対して挿抜可能に構成された挿入・係合部を備えるとともに、支持体がトッププレートに止着された第１姿勢では、支持体固定用開口に対する挿入・係合部の挿抜を牽制し、支持体を第１姿勢から平面視にて所定角度回動させた第２姿勢では、支持体固定用開口に対する挿入・係合部の挿抜を許容する鍔部を備え、支持体を第２姿勢から所定角度逆方向に回動させて第１姿勢とすることにより、支持体がトッププレートに止着され、支持体を第１姿勢から所定角度回動させて第２姿勢とすることにより、支持体がトッププレートから取り外されるように構成した場合、ビスやボルトなどの他の部材（締結部材）を用いて位置止めを行うことを必要とせずに、支持体を容易にトッププレートに止着し、またはトッププレートから取り外すことが可能になり、製造コストをより低減することが可能なガス調理器を提供することができるようになる。
【図面の簡単な説明】
【００１４】
【図１】本発明の実施形態にかかるガス調理器（ガスコンロ）の斜視図である。
【図２】本発明の実施形態にかかるガス調理器の側面図である。
【図３】図２におけるIII-III線断面図である。
【図４】本発明の実施形態にかかるガス調理器に備えるカバー体の底面図である。
【図５】図４におけるＶ−Ｖ線断面図である。
【図６】本発明の実施形態にかかるガス調理器が備える支持体を示す図であって、（ａ）は平面図、（ｂ）は正面図、（ｃ）は側面図である。
【図７】本発明の実施形態にかかるガス調理器において支持体を装着する途中状態を示す斜視図である。
【図８】本発明の実施形態にかかるガス調理器において支持体を装着し、カバー体を装着する前の状態を示す斜視図である。
【図９】本発明の実施形態にかかるガス調理器においてカバー体を装着する途中状態を示す斜視図である。
【発明を実施するための形態】
【００１５】
以下、本発明の実施形態を示して、その特徴とするところをさらに詳しく説明する。
【００１６】
図１は、本発明の一実施形態にかかるガス調理器１００の外観構成を示す斜視図である。
【００１７】
このガス調理器１００は、図１に示すように、３つのコンロバーナ１０（１０ａ、１０ｂ、１０ｃ）を備えた、キッチンカウンターに埋め込まれて設置されるドロップインタイプ（埋め込み型）のガス調理器である。
【００１８】
また、このガス調理器１００は、調理器本体２０と、調理器本体２０の上面の開口を覆うトッププレート１２とを備えている。
【００１９】
ガス調理器１００が備える３つのコンロバーナ１０はいずれも、炎孔１が設けられたバーナヘッド２と、燃料ガスとその燃焼用の一次空気とを混合する混合管（図示せず）とを備えたブンゼン式のガスバーナであり、２つのコンロバーナ１０ａ、１０ｂは、トッププレート１２の前方側の左右に、トッププレート１２から上方に炎孔１を有するバーナヘッド２が露出するような態様で配設され、残りの１つのコンロバーナ１０ｃは、トッププレート１２の後方に、トッププレート１２から上方に炎孔１を有するバーナヘッド２が露出するような態様で配設されている。
【００２０】
また、３つのコンロバーナ１０（１０ａ、１０ｂ、１０ｃ）の周囲には、各コンロバーナ１０（１０ａ、１０ｂ、１０ｃ）により加熱される調理容器（図示せず）が載置される五徳１３がそれぞれ配設されている。
【００２１】
また、各コンロバーナ１０（１０ａ、１０ｂ、１０ｃ）の中央には、五徳１３上に載置された調理容器の底部の温度を検出するための温度センサ１４が配設されている。この温度センサ１４は、五徳１３上に載置された調理容器の底面に接することで調理容器の温度を検出する。
【００２２】
また、トッププレート１２上の手前側の領域には、３つのコンロバーナ１０（１０ａ、１０ｂ、１０ｃ）に対する操作、すなわち、点火、消火、炎調節などの操作を行う点消火操作部１５（１５ａ、１５ｂ、１５ｃ）が左右方向に並んで配置されている。
【００２３】
点消火操作部１５（１５ａ、１５ｂ、１５ｃ）はいずれも、下方に押し込みながら所定方向に回す、押し回し操作をすることにより、コンロバーナ１０の点消火や炎調節などを行う押し回し式の点消火操作部である。
【００２４】
また、各点消火操作部１５（１５ａ、１５ｂ、１５ｃ）は、操作つまみ２５（２５ａ、２５ｂ、２５ｃ）を備えている。
【００２５】
なお、このような押し回し操作式のガスバルブの構成は、周知であることから、本明細書では詳細な説明を省略する。
【００２６】
また、調理器本体２０の内部には、上述のバーナヘッド２などとともにコンロバーナ１０（１０ａ、１０ｂ、１０ｃ）を構成する上述の混合管（図示せず）が配設されている。
【００２７】
さらに、本実施形態にかかるガス調理器１００においては、トッププレート１２における後方側の領域に、三つのブンゼン式のコンロバーナ１０（１０ａ、１０ｂ、１０ｃ）の、調理器本体２０内に配設されている混合管に一次空気を供給するための吸気口３０（図９参照）が形成されている。なお、本実施形態にかかるガス調理器１００においては、トッププレート１２における後方側の領域に、４つの吸気口３０が、左右方向に並んで配設されている。
【００２８】
そして、トッププレート１２における後方側の領域には、通気の通流を妨げない態様で上述の吸気口３０を覆うカバー体４０が配設されている。
【００２９】
カバー体４０は、吸気口３０の前端部３０ａ（図７、図８）より前方側の位置において、トッププレート１２の上面１２ａ側から上方に向かって立ち上がる立ち上がり部４０ａと、吸気口３０の上方を覆う上方カバー部４０ｂとを備えている。
【００３０】
＜ガス調理器の特徴的構成＞
次に、本実施形態にかかるガス調理器１００の特徴的な構成について説明する。
【００３１】
本実施形態にかかるガス調理器（ガスコンロ）１００は、トッププレート１２上に所定の姿勢である第１姿勢で止着された状態で、カバー体４０を支持する支持体５０を備えている（図２参照）。
【００３２】
この支持体５０は、カバー体４０と係合する支持体側係合部５１を備えており、支持体側係合部５１は、溝部５２と、溝部５２の長さ方向の途中領域５３（図６（ａ）、（ｂ））に、溝部５２の底部が盛り上がる態様で形成された凸部５４とを備えている。
【００３３】
なお、図６（ｂ）、（ｃ）に示すように、凸部５４の上端は、溝部５２の上端、すなわち、溝部５２の幅方向両側の土手５２ａ、５２ｂ（図２、図６（ａ）、（ｃ）参照）の上端より低くなるように構成されている。
【００３４】
また、カバー体４０は、支持体５０と係合するカバー体側係合部４１を備えており（図３、図４、図５）、カバー体側係合部４１は、支持体側係合部５１の溝部５２に嵌入する凸条部４２と、凸条部４２の途中領域４２ａ（図３、図４、図５）に形成された凹部（コ字状の切欠き）４３とを備えている。
【００３５】
そして、カバー体側係合部４１の凸条部４２が、支持体側係合部５１の溝部５２に嵌入し、かつ、支持体側係合部５１の凸部５４が、カバー体側係合部４１の凹部４３に嵌入することにより、支持体５０がトッププレート１２上の所定の位置に所定の姿勢で支持されるように構成されている。
【００３６】
また、図７に示すように、本実施形態にかかるガス調理器１００において、トッププレート１２は、支持体５０の一部が挿入され、固定される支持体固定用開口６０を備えている。また、支持体固定用開口６０は、互いに対向する位置に、所定の条件の下に、支持体５０の備える挿入・係合部５５を構成する鍔部５６ａ、５６ｂ（図６、図７、図８）の挿抜を許容するための一方の鍔挿抜用開口拡張部６１（６１ａ）と、他方の鍔挿抜用開口拡張部６１（６１ｂ）を備えている。
【００３７】
なお、一対の鍔挿抜用開口拡張部６１ａと、鍔挿抜用開口拡張部６１ｂとは、支持体５０の挿入・係合部５５との関係で、方向性を認識できるように、一方の鍔挿抜用開口拡張部６１ａよりも他方の鍔挿抜用開口拡張部６１ｂの方が、拡張量（突出量）が大きくなるように構成されている。
【００３８】
一方、支持体５０は、上述のように、支持体固定用開口６０に対して挿抜可能に構成された挿入・係合部５５を備えており、挿入・係合部５５は、一対の鍔部５６（５６ａ、５６ｂ）を備えている（図３、図６、図７、図８参照）。
【００３９】
なお、鍔部５６ａと鍔部５６ｂとは、方向性が認識できるように、一方の鍔部５６ａよりも他方の鍔部５６ｂの方が、突出量が大きくなるように構成されている。
【００４０】
本実施形態にかかるガス調理器１００は、上述のように構成されていることから、支持体５０がトッププレート１２に止着された所定の姿勢、すなわち第１姿勢（図８参照）から平面視にて所定角度（本実施形態では図８における矢印Ｘで示す方向とは逆方向に９０度）回動した第２姿勢（図７参照）となったときに、支持体５０の挿入・係合部５５を構成する鍔部５６（５６ａ、５６ｂ）が、一対の鍔挿抜用開口拡張部６１（６１ａ、６１ｂ）と正対する位置関係となり、支持体５０の挿入・係合部５５の支持体固定用開口６０に対する挿抜が許容される一方、支持体５０が上記第２姿勢から所定角度（本実施形態では図８における矢印Ｘで示す方向に９０度）回動して第１姿勢（図８参照）となったときに、支持体５０の挿入・係合部５５を構成する鍔部５６（５６ａ、５６ｂ）が、一対の鍔挿抜用開口拡張部６１（６１ａ、６１ｂ）とは正対しない位置関係となり、支持体５０の挿入・係合部５５の支持体固定用開口６０に対する挿抜が牽制されるように構成されている。
【００４１】
すなわち、支持体５０を所定の角度だけ所定の方向（図８における矢印Ｘで示す方向）に回動させて第１姿勢（図８参照）とすることで支持体５０をトッププレート１２に止着し、支持体５０を所定の角度だけ所定の方向（図８における矢印Ｘで示す方向とは逆方向）に回動させて第２姿勢（図７参照）とすることで支持体５０をトッププレート１２から取り外すことができるように構成されている。
【００４２】
次に、支持体５０をトッププレート１２に止着する手順および、支持体５０をトッププレート１２から取り外す手順について説明を行う。
【００４３】
まず、支持体５０をトッププレート１２に止着するにあたっては、支持体５０がトッププレート１２に止着された状態である第１姿勢（図８）に対し、平面視において、図８における矢印Ｘで示す方向とは逆方向に９０度回動させた第２姿勢（図７）で、支持体５０を上方からトッププレート１２に向かって接近させ、支持体５０の下部の、鍔部５６（５６ａ、５６ｂ）を備えた挿入・係合部５５を、トッププレート１２の支持体固定用開口６０に挿入する（図７参照）。このとき、平面視で、挿入・係合部５５が備える一対の鍔部５６（５６ａ、５６ｂ）が、支持体固定用開口６０の一対の鍔挿抜用開口拡張部６１（６１ａ、６１ｂ）と正対するため、挿入・係合部５５が備える鍔部５６（５６ａ、５６ｂ）が、支持体固定用開口６０に干渉することなく、確実にトッププレート１２の支持体固定用開口６０に挿入される。
【００４４】
その後、支持体５０を平面視において所定角度（本実施形態では図８における矢印Ｘで示す方向に９０度）回動させて、カバー体４０を支持する姿勢である所定の姿勢（第１姿勢（図８））となり、この第１姿勢では、平面視で、挿入・係合部５５が備える一対の鍔部５６（５６ａ、５６ｂ）の位置と、支持体固定用開口６０の一対の鍔挿抜用開口拡張部６１（６１ａ、６１ｂ）の位置とが９０度ずれることになるため、鍔部５６（５６ａ、５６ｂ）が、支持体固定用開口６０に干渉して、支持体５０がトッププレート１２の支持体固定用開口６０から脱抜することがなく、トッププレート１２に確実に止着（係止）された状態となる（図８参照）。
【００４５】
その後、図９に示すように、カバー体４０の凸条部４２を、支持体５０の位置決め用凹部である溝部５２に嵌入するとともに、カバー体４０の凸条部４２の途中領域４２ａに形成された凹部４３と、支持体５０の溝部５２の途中領域５３に形成された凸部５４とを係合させることにより、支持体５０を介してカバー体４０が、トッププレート１２上の所定の位置に、所定の姿勢で止着される（図１、図２、図３参照）。
【００４６】
上述のように構成された本実施形態にかかるガス調理器１００によれば、カバー体側係合部４１の凸条部４２が支持体側係合部５１の溝部５２に嵌入することにより、支持体側係合部５１の溝部５２の幅方向の両側に位置する土手５２ａ、５２ｂ（図２、図６（ａ）、（ｃ）参照）によって、カバー体４０の、溝部５２の長さ方向に直交する方向への位置ずれが阻止されるとともに、支持体側係合部５１の凸部５４がカバー体側係合部４１の凹部４３に嵌入、係合することにより、カバー体４０の、溝部５２の長さ方向への位置ずれが阻止される。その結果、簡単な構成で、カバー体４０が、溝部５２の長さ方向および該長さ方向に直交する方向（例えば、本実施形態では、図１における矢印Ａで示される前後方向および矢印Ｂで示される左右方向）において確実に位置決めされ、かつ、姿勢も規定されるため、製造コストの増大を招くことなく、カバー体４０をトッププレート１２の所定の位置に、所定の姿勢で支持することが可能なガス調理器を提供することができる。
【００４７】
また、上記実施形態にかかるガス調理器１００では、支持体５０を、その鍔部５６（５６ａ、５６ｂ）により、トッププレート１２の支持体固定用開口６０に止着することで、特に、ボルトやビスなどの締結部材を用いることなく、支持体５０をトッププレート１２の所定の位置に支持することができるようにしているが、支持体５０をビスやボルトなどの締結部材を用いてトッププレート１２に止着するように構成してもよい。その場合、支持体５０のトッププレート１２への止着もそれほどの手間がかからないことから、支持体５０を介してのカバー体４０のトッププレート１２への取り付けの容易さは確保される。
【００４８】
なお、上記実施形態では、魚などを調理するためのグリルを備えていないガスコンロを例にとって説明したが、本発明は、グリルを備えているガスコンロ（ガス調理器）にも適用することが可能である。
【００４９】
本発明は、その他の点においても上記実施形態に限定されるものではなく、本発明の範囲内において種々の変形を加えることが可能である。
【符号の説明】
【００５０】
１      炎孔
２      バーナヘッド
１０（１０ａ、１０ｂ、１０ｃ）    コンロバーナ
１２    トッププレート
１３    五徳
１４    温度センサ
１５（１５ａ、１５ｂ、１５ｃ）    点消火操作部
２０    調理器本体
２５（２５ａ、２５ｂ、２５ｃ）    操作つまみ
３０    吸気口
３０ａ  吸気口の前端部
４０    カバー体
４０ａ  立ち上がり部
４０ｂ  上方カバー部
４１    カバー体側係合部
４２    凸条部
４２ａ  凸条部の途中領域
４３    途中領域に形成された凹部
５０    支持体
５１    支持体側係合部
５２    支持体の溝部
５２ａ、５２ｂ    溝部の幅方向両側の土手
５３    溝部の長さ方向の途中領域
５４    凸部
５５    挿入・係合部
５６（５６ａ、５６ｂ）    挿入・係合部が備える鍔部
６０    トッププレートに形成された支持体固定用開口
６１（６１ａ、６１ｂ）    支持体固定用開口の鍔挿抜用開口拡張部
１００  ガス調理器
【図１】
2019090553.tif 000003
【図２】
2019090553.tif 000004
【図３】
2019090553.tif 000005
【図４】
2019090553.tif 000006
【図５】
2019090553.tif 000007
【図６】
2019090553.tif 000008
【図７】
2019090553.tif 000009
【図８】
2019090553.tif 000010
【図９】
2019090553.tif 000011